(57)【要約】【課題】目隠しパネルを容易に取付けることができる固定構造を提供する。【解決手段】本発明の目隠しパネルの固定構造は、四隅に締結孔１１を形成し、この締結孔１１に、膨頭部５が裏側に位置するように締結部材４を挿し通してある矩形板状の目隠しパネル１と、表側にリップ溝２３を形成してある取付ブラケット２とを備え、前記取付ブラケット２を、リップ溝２３を横向きにして適宜箇所に配し、前記膨頭部５をリップ溝２３内に挿入して固定してあることを特徴とする。【選択図】図３
2008280717.tif 000002
【特許請求の範囲】
【請求項１】
四隅に締結孔を形成し、この締結孔に、膨頭部が裏側に位置するように締結部材を挿し通してある矩形板状の目隠しパネルと、表側にリップ溝を形成してある取付ブラケットとを備え、前記取付ブラケットを、リップ溝を横向きにして適宜箇所に配し、前記膨頭部をリップ溝内に挿入して固定してある目隠しパネルの固定構造。
【請求項２】
前記取付ブラケットを、上下に配し、この取付ブラケットのリップ溝に目隠しパネルの一端部側の膨頭部をそれぞれ挿入し、さらに、そのリップ溝に、横方向に隣接する目隠しパネルの一端部側の膨頭部をそれぞれ挿入してあり、これら隣接する目隠しパネル間に若干の隙間を設けてある請求項１に記載の目隠しパネルの固定構造。
【請求項３】
取付ブラケットを、表側にリップ溝を形成した平面部を有し、その平面部に、裏側に突出した突出片を形成した形状としてある請求項１又は２に記載の目隠しパネルの固定構造。
【請求項４】
前記突出片を、縦方向に伸び、長手端面を表側に向けた矩形平板状のストリンガーに固定してある請求項３に記載の目隠しパネルの固定構造。
【請求項５】
前記突出片の先端に、二股形状の挟み込み部を形成し、この挟み込み部でストリンガーを挟み込み固定してある請求項４に記載の目隠しパネルの固定構造。
【請求項６】
ストリンガーの表側に幅狭のブラケット取付部を形成し、ブラケット取付部の奥端面と挟み込み部の先端面とを接面させ、ストリンガーの長手端面と挟み込み部の奥内面とを接面させて固定してある請求項５に記載の目隠しパネルの固定構造。
【発明の詳細な説明】
【技術分野】
【０００１】
本発明は、建造物の外壁などを覆う目隠しパネルの固定構造に関する。
【背景技術】
【０００２】
平板状の金属板に多数の孔を設けたパンチングプレート（パネル）を、ベランダ等に取付けてフェンスとして用いることや外壁面を覆う目隠しパネルとして用いることがある（下記特許文献１参照）。
目隠しパネルとする場合、例えば、パネルの左右両端側に縦方向の柱材を架設し、パンチングパネルの四隅に形成してある孔にボルトなどを挿し通して柱材に締結固定していた。
【０００３】
【特許文献１】特開２００２−３３２７５７号公報
【発明の開示】
【発明が解決しようとする課題】
【０００４】
このように目隠しパネルを柱材に固定する場合、例えば、一人が目隠しパネルを支え、他の一人が、ボルトなどを締結して固定しなければならず、一人で取り付けることは困難であった。取り外す場合も、同様に少なくとも二人で行なわなければならず、目隠しパネルの取り付け、取り外しの作業は人手を必要とするものであった。
また、一枚の目隠しパネルに対して、少なくとも二本の柱材が必要となり、柱材の本数が多くなりコストが上がってしまうという問題も生じていた。
【０００５】
そこで、本発明の目的は、目隠しパネルを容易に取り付けできる固定構造を提供することにあり、さらには、柱材の本数を低減できる固定構造を提供することにある。
【課題を解決するための手段】
【０００６】
本発明の目隠しパネルの固定構造は、四隅に締結孔を形成し、この締結孔に、膨頭部が裏側に位置するように締結部材を挿し通してある矩形板状の目隠しパネルと、表側にリップ溝を形成してある取付ブラケットとを備え、前記取付ブラケットを、リップ溝を横向きにして適宜箇所に配し、前記膨頭部をリップ溝内に挿入して固定してあることを特徴とする。
【０００７】
このようにすることにより、リップ溝を設けた取付ブラケットを目隠しパネルの四隅付近に配し、目隠しパネルの四隅に設けてある膨頭部を、取付ブラケットのリップ溝に横方向から挿入して締結部材を締結すれば、目隠しパネルを固定することができ、一人でも容易に取付けることができる。
【０００８】
上記目隠しパネルの固定構造は、前記取付ブラケットを、上下に配し、この取付ブラケットのリップ溝に目隠しパネルの一端部側の膨頭部をそれぞれ挿入し、さらに、そのリップ溝に、横方向に隣接する目隠しパネルの一端部側の膨頭部をそれぞれ挿入してあり、これら隣接する目隠しパネル間に若干の隙間を設けるのが好ましい。
【０００９】
このようにすることにより、目隠しパネルを取り外す際、目隠しパネルの四隅の締結部材を緩め、パネルを一方向（例えば、左方向）にスライドしてパネル右側の締結部材の膨頭部をリップ溝から外し、次に、パネルを他方向（例えば、右方向）にスライドさせれば、パネルを取り外すことができる。
【００１０】
上記目隠しパネルの固定構造は、取付ブラケットを、表側にリップ溝を形成した平面部を有し、その平面部に、裏側に突出した突出片を形成した形状とすることが好ましい。
【００１１】
このようにすることにより、平面部を前方に向け、突出片を外壁側に固定すれば、平面部のみが表側から見えるものとなり見栄えがよくなる。
【００１２】
上記目隠しパネルの固定構造は、前記突出片を、縦方向に伸び、長手端面を表側に向けた矩形平板状のストリンガーに固定するのが好ましい。
【００１３】
このようにすることにより、ストリンガーが柱材となるとともに、目隠しパネル全体を真正面から見た場合、ストリンガーは、長手端面しか見えないため、見栄えのよいものとなる。また、目隠しパネルを、取付ブラケットを介してストリンガーに固定するので、ストリンガーは、目隠しパネルの奥方に位置するため、特に斜め方向からは見えにくくなる。
【００１４】
上記目隠しパネルの固定構造は、前記突出片の先端に、二股形状の挟み込み部を形成し、この挟み込み部でストリンガーを挟み込み固定することが好ましく、さらに、ストリンガーの表側に幅狭のブラケット取付部を形成し、ブラケット取付部の奥端面と挟み込み部の先端面とを接面させ、ストリンガーの長手端面と挟み込み部の奥内面とを接面させて固定するのが好ましい。
【００１５】
このようにすることにより、取付ブラケットをストリンガーに取り付けやすくなり、さらに、取付ブラケットが回転しないように固定することができる。
【発明を実施するための最良の形態】
【００１６】
以下、本発明の一実施形態を説明する。
図１は本発明の一実施形態の目隠しパネルの固定構造に用いる目隠しパネルを示し、（Ａ）は正面図、（Ｂ）は部分拡大側面図であり、図２は本発明の一実施形態の目隠しパネルの固定構造に用いる取付ブラケット及びストリンガーの分解斜視図、図３，４は取付ブラケットをストリンガーに取付けた状態を示した斜視図及び側面図である。
【００１７】
本発明の一実施形態の目隠しパネルの固定構造は、図１〜４に示すように、外壁面を覆う目隠しパネル１、目隠しパネル１を固定する取付ブラケット２、取付ブラケット２を固定するストリンガー３を用いるものである。
【００１８】
目隠しパネル１は、図１（Ａ），（Ｂ）に示すように、略矩形板状のパネルであり、四隅に締結孔１１が形成してあり、この締結孔１１には、裏側に膨頭部５が位置するように締結部材４を挿し通して固定してある。また、パネル面上には、円形状の孔１２が多数形成してある。
締結部材４は、六角穴付ボルト４１とフランジ付六角ナット４２を備え、表側からボルト４１を挿し込み、裏側からナット４２を緩めに締結して、パネル１とナット４２の間に若干隙間ができるようにしてあり、ナット４２を膨頭部５として形成してある。
本実施形態では、膨頭部５をナット４２としてあるが、膨頭部は、後述するリップ溝２３内に納まるように膨らました形状としてあればよく、例えば、フランジ付六角ボルトを、裏側から締結孔に挿入し、表側からナットで締結して、このボルトの頭部を膨頭部とすることもできる。
【００１９】
なお、上記目隠しパネル１は、円形状の部材を打ち抜いた後の廃材を用いるのがリサイクルの観点から望ましい。また、このような廃材は、比較的厚みがあるため（５ｍｍ程度）、円形状の孔を表面に多数設けても、斜め方向から内部が見えにくいという利点もある。なお、従来は２〜３ｍｍ程度の厚みの目隠しパネルを使用するのが普通であり、５ｍｍの厚みのものは高価で使用することはほとんどなかった。
【００２０】
取付ブラケット２は、図２，３に示すように、目隠しパネル１を固定する平面部２０となる平面部材２１と、平面部材２１を取り付け、ストリンガー３に固定する連結部材２２とを備えている。
平面部材２１は、表面２１ａに幅方向に沿ったリップ溝２３が２つ並行に形成してあり、裏面２１ｂに高さ方向の中間付近に幅方向に沿ったリップ溝２４が形成してある。この溝２３，２４内には、上下に対向するように突出した凸部２３ａ，２４ａが形成してあり、この凸部２３ａ間の幅は、膨頭部５となるナット４２の頭部の二面幅と略同一に形成してあり、また、凸部２４ａ間の幅は、フランジ付六角ボルト６１の頭部の二面幅と略同一に形成してあり、図４に示すように、ナット４２又はフランジ付六角ボルト６１の頭部を溝部２３ａ，２４ａに側方から挿入し、これらが回転しないようにしてある。
【００２１】
連結部材２２は、平面部材２１を接面させて固定する固定部２５と、固定部２５の裏面から略垂直に突出した突出片２６とを備えている。
固定部２５は、略矩形板状に形成してあり、高さ方向の中間付近に適宜間隔で２つの孔２５ａが設けてあり、平面部材２１のリップ溝２４に頭部を納めたフランジ付六角ボルト６１の軸部６１ａを挿し通し、ナット６２で締結して、平面部材２１と連結部材２２を固定できるようにしてある。
【００２２】
突出片２６は、固定部２５の幅方向の中間付近から裏側に略矩形板状に突出し、その先端に、二股に分かれた上面視略コの字状の挟み込み部２６ａを形成してあり、挟み込み部２６ａは、後述するストリンガー３のブラケット取付部３２を挟み込みできるようにしてある。また、挟み込み部２６ａの側面には、上下に２つの孔２６ｂが設けてある。
【００２３】
ストリンガー３は、図２〜４に示すように、長尺矩形状の板材であり、外壁などの表側に一方の長手端面３１側を表側に向け縦方向沿って配してある。ストリンガー３は、一方の長手端面３１側を、一段凹ませた幅狭のブラケット取付部３２を形成し、この面上の適宜箇所に孔３２ａを設け、この孔３２ａと取付ブラケット２の孔２６ｂが合うように前記挟み込み部２６ａをブラケット取付部３２に挟み込み、ボルトナットなどの締結部材６３で締結し、図３，４に示すように、取付ブラケット２とストリンガー３を固定できるようにしてある。この際、ブラケット取付部３２の奥端面３２ｂと挟み込み部２６ａの先端面２６ｃとが接面し、長手端面３１と挟み込み部２６ａの奥内面２６ｄとが接面する構成とするのが好ましい。このようにすることにより、取付ブラケット２が、回転することなくストリンガー３に取り付けできる。
なお、ストリンガー３の厚みは、約１０ｍｍとするのが好ましく、このようにすることにより、外方から目立たなくなる。
【００２４】
ストリンガー３を、図５に示すように、目隠しパネル１よりも若干幅広の間隔で横方向に配し、このストリンガー３に、目隠しパネル１の高さに合わせて適宜間隔で上下方向に取付ブラケット２を取付け、この取付ブラケット２に目隠しパネル１を取付けることができる。
【００２５】
以下、隣接する４つの取付ブラケット２ａ〜２ｄに、目隠しパネル１を取付ける方法の一例を説明する。
【００２６】
図６に示すように、目隠しパネル１を若干長手方向に傾け、横方向（図６のＡ方向）にスライドさせ、目隠しパネル１の一端部上側の締結部材４ａの膨頭部５を、取付ブラケット２ａの下側のリップ溝２３に挿入していくとともに、一端部下側の締結部材４ｂの膨頭部５を、取付ブラケット２ｂの上側のリップ溝２３に挿入していく。
締結部材４ａ，４ｂの膨頭部５をリップ溝２３に納めた状態で、図７に示すように、目隠しパネル１を先程とは逆方向（図７のＢ方向）にスライドさせて、他端部上側の締結部材４ｃの膨頭部５を、取付ブラケット２ｃの下側のリップ溝２３に挿入するとともに、他端部下側の締結部材４ｄの膨頭部５を、取付ブラケット２ｄの上側のリップ溝２３に挿入していき、隣接するストリンガー３の略中央に目隠しパネル１を配する。そして、六角穴付ボルト４１を締め回していくことにより、目隠しパネル１を固定することができ、このように、順次、他のパネル１を固定することにより、図８に示すように、外壁などの一面に目隠しパネル１を配することができる。
【００２７】
また、目隠しパネル１を固定する際、図８に示すように、横方向に隣接する目隠しパネル間に若干の隙間Ｃを設けることが好ましい。
このようにすることにより、各締結部材４を緩め、目隠しパネル１を、一端部側にスライドさせて他端部側の締結部材４を取付ブラケット２から外し、次に目隠しパネル１を他端部側にスライドさせて一端部側の締結部材４を取付ブラケット２から外して、目隠しパネル１を取付ブラケット２から取り外すことができる。隙間Ｃは、約２０ｍｍとするのが好ましい。
【００２８】
このように、本発明の目隠しパネルの固定構造は、容易に取付けることができ、また、容易に取り外すことができるものである。さらには、１つの取付ブラケットに、隣接する目隠しパネルの端部を取り付けできるため、柱材となるストリンガーの数を減らすことができ、また、ストリンガーを長尺矩形状の板材とすることにより、外方から見えにくいものとすることができ、全体として見栄えのよい目隠しパネルとなる。
【００２９】
上記実施形態の構成態様は、本発明を限定するものとして挙げたものではなく、技術目的を共通にするかぎり変更は可能であり、本発明はそのような変更を含むものである。
【図面の簡単な説明】
【００３０】
【図１】本発明の一実施形態の目隠しパネルの固定構造に用いる目隠しパネルを示し、（Ａ）は正面図、（Ｂ）は部分拡大側面図である。
【図２】本発明の一実施形態の目隠しパネルの固定構造に用いる取付ブラケット及びストリンガーの分解斜視図である。
【図３】取付ブラケットをストリンガーに取付けた状態を示した斜視図である。
【図４】取付ブラケットをストリンガーに取付けた状態を示した側面図である。
【図５】取付ブラケット及びストリンガーの設置状態を示した正面図である。
【図６】目隠しパネルの一端部側を取付ブラケットに取り付ける状態を示した正面図である。
【図７】目隠しパネルの他端部側を取付ブラケットに取り付ける状態を示した正面図である。
【図８】目隠しパネルを一面に取り付けた状態の一部を示した正面図である。
【符号の説明】
【００３１】
１目隠しパネル  ２取付ブラケット  ２０平面部  ２３リップ溝  ２６突出片
２６ａ挟み込み部  ２６ｃ先端面  ２６ｄ奥内面  ３ストリンガー  ３１長手端面
３２ｂ奥端面  ４締結部材  ５膨頭部
【図１】
2008280717.tif 000003
【図２】
2008280717.tif 000004
【図３】
2008280717.tif 000005
【図４】
2008280717.tif 000006
【図５】
2008280717.tif 000007
【図６】
2008280717.tif 000008
【図７】
2008280717.tif 000009
【図８】
2008280717.tif 000010